(57)【特許請求の範囲】
【請求項１】
下記一般式（１）で示される非イオン性界面活性剤（Ａ）及び一般式（２）で示される非イオン性界面活性剤（Ｂ）、又は一般式（２）で示される非イオン性界面活性剤（Ｂ）を必須成分とし、該非イオン性界面活性剤（Ａ）および非イオン性界面活性剤（Ｂ）の分子中のオキシエチレン基／オキシプロピレン基のモル比が、それぞれ１００／０〜８０／２０であることを特徴とする液体洗浄剤用増粘剤組成物。
【化１】
0004943295.tif 000007
【化２】
0004943295.tif 000008
〔式（１）および（２）中のＲは、炭素数１〜１８の脂肪族炭化水素基、またはアルキル基で置換されていてもよい炭素数６〜８の脂環式炭化水素基を表す。ＹとＹ'はそれぞれ独立に炭素数４〜２０のアルキル基もしくはアルケニル基、またはＲ'ＯＣＨ２−基を表し、このＲ'は炭素数１〜１８のアルキル基もしくはアルケニル基を表す。Ａ'Ｏ、Ａ"Ｏはそれぞれ独立にオキシエチレン基及び／またはオキシプロピレン基を表す。ｍは１〜２０、ｎは１〜２０の数を表す。］
【請求項２】
該非イオン性界面活性剤（Ａ）と該非イオン性界面活性剤（Ｂ）のグリフィンの加重平均のＨＬＢが、６〜１２である請求項１記載の液体洗浄剤用増粘剤組成物。
【請求項３】
該非イオン性界面活性剤（Ａ）と該非イオン性界面活性剤（Ｂ）の数平均分子量が、１００〜２，０００である請求項１または２記載の液体洗浄剤用増粘剤組成物。
【請求項４】
アニオン性界面活性剤（Ｃ１）及び他の非イオン性界面活性剤（Ｃ２）の群から選ばれる１種以上の界面活性剤成分（Ｃ）１００重量部に、請求項１〜３のいずれか１項に記載の増粘剤組成物をその合計で５〜２０重量部配合してなることを特徴とする液体洗浄剤組成物。
【発明の詳細な説明】
【技術分野】
【０００１】
本発明は、界面活性剤を含有するシャンプー、リンス、ボディーシャンプー等の身体洗浄剤、および台所洗剤等の液体洗浄剤用の増粘剤とそれを含有する液体洗浄剤に関する。
さらに詳しくは、優れた増粘性、起泡力を有し、他の界面活性剤、特にアニオン性および非イオン性界面活性剤と配合することで洗浄の相乗効果を発揮する洗浄剤組成物を提供することのできる液体洗浄剤用増粘剤に関する。
【背景技術】
【０００２】
一般にシャンプー、リンス、ボディーシャンプー、洗顔フォーム等の身体洗浄剤、および、台所洗剤等の洗浄剤においては、洗浄力が良好であること、起泡力が高いことなどが求められる。洗浄剤の主基剤としては従来、アルキルベンゼンスルホン酸、アルキル硫酸エステル塩、ポリオキシエチレンアルキルエーテルエステル塩、アシルメチルタウリン塩、アシルグルタミン酸塩、脂肪酸石鹸等の陰イオン性界面活性剤、ポリオキシエチレンアルキルエーテル、アルキルグリコシドなどの非イオン界面活性剤、アルキルベタイン、アルキルアミドベタイン、アルキルスルホベタイン等の両性界面活性剤が使用されている。洗浄剤はこれらの洗浄基剤を配合させて使用される。
【０００３】
洗浄剤は、洗浄基剤を一定の濃度の水溶液として用いられるが、洗浄基剤のみでの水溶液は粘度が低く、洗浄剤の用途においては使用しやすい粘度にする必要がある。増粘剤は洗浄剤の粘度調整剤および泡安定剤として使用されている。
【０００４】
これら洗浄剤の増粘剤としては、従来、ジエタノール脂肪酸アミドが汎用されてきたが、その安全性が疑問視されるようになった。
その結果、その代替品として、モノエタノール脂肪酸アミド（特許文献１）、ポリグリセリン脂肪酸エステル（特許文献２）、プロピレングリコール脂肪酸モノエステル等（特許文献３）が提案されてきた。
しかし、これらの増粘剤は、粘度調整剤としては効果があるが、安全性、作業性、泡安定性が劣り、洗浄基剤の機能を低下させ、起泡力および洗浄力を満足できないという課題があった。
【０００５】
さらに、分子中にアルキレンカーバメート基を有する非イオン界面活性剤が提案された（特許文献４）。
しかしながら、この増粘剤は、増粘性および起泡力に改善は見られたものの、洗浄力が劣り、未だ課題が残されている。
【０００６】
【特許文献１】特開平１１−８０７８５号公報等
【特許文献２】特開２００２−６９４８６号公報
【特許文献３】特公平０６−０３１４０９号公報
【特許文献４】特開２００６−１１７７７４号公報
【発明の開示】
【発明が解決しようとする課題】
【０００７】
本発明の課題は、シャンプー、リンス、ボディーシャンプー等の身体洗浄剤および台所洗剤等の洗浄剤に配合した際に優れた増粘性を有し、さらに相乗効果により優れた起泡力、洗浄力を有する液体洗浄剤用の増粘剤を提供することにある。
【課題を解決するための手段】
【０００８】
本発明者らは、上記の目的を達成するべく検討を行った結果、本発明に到達した。
すなわち、本発明は、下記一般式（１）で示される非イオン性界面活性剤（Ａ）及び一般式（２）で示される非イオン性界面活性剤（Ｂ）、又は一般式（２）で示される非イオン性界面活性剤（Ｂ）を必須成分とし、該非イオン性界面活性剤（Ａ）および非イオン性界面活性剤（Ｂ）の分子中のオキシエチレン基／オキシプロピレン基のモル比が、それぞれ１００／０〜８０／２０であることを特徴とする液体洗浄剤用増粘剤組成物；並びにアニオン性界面活性剤（Ｃ１）及び他の非イオン性界面活性剤（Ｃ２）の群から選ばれる１種以上の界面活性剤成分（Ｃ）１００重量部に、前記の増粘剤組成物をその合計で５〜２０重量部配合してなることを特徴とする液体洗浄剤組成物である。
【０００９】
【化１】
0004943295.tif 000002
【００１０】
【化２】
0004943295.tif 000003
【００１１】
〔式（１）および（２）中のＲは、炭素数１〜１８の脂肪族炭化水素基、またはアルキル基で置換されていてもよい炭素数６〜８の脂環式炭化水素基を表す。ＹとＹ'はそれぞれ独立に炭素数４〜２０のアルキル基もしくはアルケニル基、またはＲ'ＯＣＨ２−基を表し、このＲ'は炭素数１〜１８のアルキル基もしくはアルケニル基を表す。Ａ'Ｏ、Ａ"Ｏはそれぞれ独立にオキシエチレン基及び／またはオキシプロピレン基を表す。ｍは１〜２０、ｎは１〜２０の数を表す。］
【発明の効果】
【００１２】
本発明の増粘剤は、液体洗浄剤に少量添加することにより、増粘効果はもちろん、さらに起泡力および洗浄力の向上効果を奏する優れた洗浄剤用増粘剤組成物を提供できる。 
【発明を実施するための最良の形態】
【００１３】
本発明は、下記一般式（１）で表される非イオン性界面活性剤（Ａ）と下記一般式（２）で表される非イオン性界面活性剤（Ｂ）、又は一般式（２）で示される非イオン性界面活性剤（Ｂ）を必須成分とする洗浄剤用増粘剤組成物である。そして、この非イオン性界面活性剤（Ａ）分子中のオキシエチレン基／オキシプロピレン基のモル比が１００／０〜８０／２０であり、かつ同様に非イオン性界面活性剤（Ｂ）の分子中のオキシエチレン基／オキシプロピレン基のモル比も１００／０〜８０／２０であることを特徴としている。
【００１４】
【化３】
0004943295.tif 000004
【００１５】
【化４】
0004943295.tif 000005
【００１６】
〔式（１）および（２）中のＲは、炭素数１〜１８の脂肪族炭化水素基、またはアルキル基で置換されていてもよい炭素数６〜８の脂環式炭化水素基を表す。ＹとＹ'はそれぞれ独立に炭素数４〜２０のアルキル基もしくはアルケニル基、またはＲ'ＯＣＨ２−基を表し、このＲ'は炭素数１〜１８のアルキル基もしくはアルケニル基を表す。Ａ'Ｏ、Ａ"Ｏはそれぞれ独立にオキシエチレン基及び／またはオキシプロピレン基を表す。ｍは１〜２０、ｎは１〜２０の数を表す。］
【００１７】
本発明の液体洗浄剤用増粘剤組成物を構成する非イオン性界面活性剤（Ａ）は、上記一般式（１）で表わされる。
【００１８】
本発明の非イオン性界面活性剤（Ａ）を表す一般式（１）において、Ｒは、脂肪族炭化水素基または脂環式炭化水素基を表す。
脂肪族炭化水素基の場合は、通常炭素数１〜１８、好ましく４〜１６、さらに好ましくは６〜１２の脂肪族炭化水素基である。具体例としては、ブチル基、ヘキシル基、オクチル基、デシル基、ドデシル基、テトラデシル基、ヘキサデシル基などのアルキル基が挙げられ、好ましくはヘキシル基、オクチル基、デシル基、ドデシル基である。
また、Ｒが脂環式炭化水素基の場合は、アルキル基で置換されていてもよい炭素数６〜８の脂環式炭化水素基である。具体例としては、シクロヘキシル基、４−メチルシクロヘキシル基、４−エチルシクロヘキシル基、３，５−ジメチルシクロヘキシル基が挙げられ、好ましくはシクロヘキシル基である。
これらは二種以上の混合アルキル組成物でもよい。
【００１９】
式（１）中のＹは、炭素数４〜２０のアルキル基もしくはアルケニル基、またはＲ'ＯＣＨ２−基で表される有機基であり、このＲ'は炭素数１〜１８のアルキル基もしくはアルケニル基を表す。
Ｙがアルキル基もしくはアルケニル基である場合の炭素数は、通常４〜２０、好ましくは６〜１８、さらに好ましくは８〜１６、より好ましくは１０〜１４である。具体例としては、ヘキシル基、４‐メチルヘキシル基、オクチル基、デシル基、ドデシル基、テトラデシル基、ヘキサデシル基、オクタデシル基、ブテニル基、ヘキセニル基、オクテニル基、デセニル基などである。
ＹがＲ'ＯＣＨ２−基である場合のＲ'の炭素数は、通常１〜１８、好ましくは４〜１６、さらに好ましくは６〜１４、より好ましくは８〜１２である。
具体的には、ブチル基、ヘキシル基、４‐メチルヘキシル基、オクチル基、デシル基、ドデシル基、テトラデシル基、ヘキサデシル基、ブテニル基、ヘキセニル基、オクテニル基、デセニル基などである。
これらは二種以上の混合アルキル組成物でもよい。
【００２０】
式（１）中のＡ'Ｏ、Ａ"Ｏは、それぞれ独立にオキシエチレン基および／またはオキシプロピレン基を表す。具体的には、オキシエチレン基単独、またはオキシエチレン基とオキシプロピレン基の併用である。これらは、エチレンオキサイド（以下、ＥＯと略記する）の付加、またはＥＯとプロピレンオキサイド（以下、ＰＯと略記する）をブロック状またはランダム状に付加して得られる。
非イオン性界面活性剤（Ａ）のオキシアルキレン鎖中のオキシエチレン基／オキシプロピレン基のモル比は、通常１００／０〜８０／２０、好ましくは１００／０〜９０／１０、さらに好ましくは１００／０（オキシエチレン基単独）である。
オキシプロピレン基のモル比が大きくなり過ぎると、起泡力とともに水溶性が低下する。
【００２１】
式（１）中のｍは、ＥＯとＰＯの合計付加モル数であり、通常１〜２０、好ましくは２〜１５、より好ましくは３〜１０である。
ｍが多いと増粘作用が低下し、少ないと水溶性が低くなり過ぎるため水に不溶性となる。
一方、ｎは、ＥＯとＰＯの合計付加モル数であり、通常１〜２０、好ましくは２〜１５、より好ましくは３〜１０である。
ｍと同様に、ｎが多いと増粘作用が低下し、少ないと水溶性が低くなり過ぎるため水に不溶性となる。
【００２２】
式(１)で表される非イオン性界面活性剤（Ａ）のグリフィンの加重平均のＨＬＢは、通常６〜１２である。好ましくは７〜１０である。
ＨＬＢが６未満であると、水溶性が低く水に不溶となる。１１を超えると水溶性が高くなり増粘作用が低下する。
後述するように非イオン性界面活性剤（Ｂ）は単独で製造できるが、非イオン性界面活性剤（Ａ）の製造時には非イオン性界面活性剤（Ｂ）も副生する。
従って、本発明におけるグリフィンＨＬＢは、非イオン性界面活性剤（Ｂ）単独、または非イオン性界面活性剤（Ａ）と非イオン性界面活性剤（Ｂ）の混合物の加重平均のＨＬＢを意味する。
【００２３】
式(１)で表される非イオン性界面活性剤（Ａ）の数平均分子量は、通常１００〜２，０００である。好ましくは２００〜１，５００である。
分子量が１００未満であると、水溶性が低く水に不溶となる。２，０００を超えると水溶性が高くなり増粘作用が低下する。
後述するように非イオン性界面活性剤（Ｂ）は単独で製造できるが、非イオン性界面活性剤（Ａ）の製造時には（Ｂ）も副生する。
従って、本発明における数平均分子量は、非イオン性界面活性剤（Ｂ）単独、または非イオン性界面活性剤（Ａ）と非イオン性界面活性剤（Ｂ）の混合物の数平均分子量を意味する。
【００２４】
非イオン性界面活性剤（Ａ）の具体例として、例えば、アルキルアミンとα−オレフィンオキサイドの１：１型反応物（ａ１）のアルコキシレート（Ａ１）またはアルキルアミンとアルキルモノグリシジルエーテルの１：１型反応物（ａ２）のアルコキシレート（Ａ２）が挙げられる。
【００２５】
（Ａ１）の前駆体であるアルキルアミン誘導体（a１）としては、N‐ブチル‐Ｎ‐（２‐ヒドロキシヘキシル）アミン、N‐ブチル‐Ｎ‐（２‐ヒドロキシ‐４‐メチルヘキシル）アミン、N‐ブチル‐Ｎ‐（２‐ヒドロキシオクチル）アミン、N‐ブチル‐Ｎ‐（２‐ヒドロキシデシル）アミン、N‐ブチル‐Ｎ‐（２‐ヒドロキシドデシル）アミン、N‐ブチル‐Ｎ‐（２‐ヒドロキシテトラデシル）アミン 、N‐ブチル‐Ｎ‐（２‐ヒドロキシヘキサデシル）アミン、N‐ブチル‐Ｎ‐（２‐ヒドロキシオクタデシル）アミン、N‐ブチル‐Ｎ‐（２‐ヒドロキシブテニル）アミン、N‐ブチル‐Ｎ‐（２‐ヒドロキシヘキセニル）アミン、N‐ブチル‐Ｎ‐（２‐ヒドロキシオクテニル）アミン、N‐ブチル‐Ｎ‐（２‐ヒドロキシデセニル）アミンなどのブチルアミン誘導体；
N‐ヘキシル‐Ｎ‐（２‐ヒドロキシヘキシル）アミン、N‐ヘキシル‐Ｎ‐（２‐ヒドロキシ‐４‐メチルヘキシル）アミン、N‐ヘキシル‐Ｎ‐（２‐ヒドロキシオクチル）アミン、N‐ヘキシル‐Ｎ‐（２‐ヒドロキシデシル）アミン、N‐ヘキシル‐Ｎ‐（２‐ヒドロキシドデシル）アミン、N‐ヘキシル‐Ｎ‐（２‐ヒドロキシテトラデシル）アミン、 N‐ヘキシル‐Ｎ‐（２‐ヒドロキシヘキサデシル）アミン、N‐ヘキシル‐Ｎ‐（２‐ヒドロキシオクタデシル）アミン、N‐ヘキシル‐Ｎ‐（２‐ヒドロキシブテニル）アミン、N‐ヘキシル‐Ｎ‐（２‐ヒドロキシヘキセニル）アミン、N‐ヘキシル‐Ｎ‐（２‐ヒドロキシオクテニル）アミン、N‐ヘキシル‐Ｎ‐（２‐ヒドロキシデセニル）アミンなどのヘキシルアミン誘導体；
N‐オクチル‐Ｎ‐（２‐ヒドロキシヘキシル）アミン、N‐オクチル‐Ｎ‐（２‐ヒドロキシ‐４‐メチルヘキシル）アミン、N‐オクチル‐Ｎ‐（２‐ヒドロキシオクチル）アミン、N‐オクチル‐Ｎ‐（２‐ヒドロキシデシル）アミン、N‐オクチル‐Ｎ‐（２‐ヒドロキシドデシル）アミン、N‐オクチル‐Ｎ‐（２‐ヒドロキシテトラデシル）アミン、 N‐オクチル‐Ｎ‐（２‐ヒドロキシヘキサデシル）アミン、N‐オクチル‐Ｎ‐（２‐ヒドロキシオクタデシル）アミン、N‐オクチル‐Ｎ‐（２‐ヒドロキシブテニル）アミン、N‐オクチル‐Ｎ‐（２‐ヒドロキシヘキセニル）アミン、N‐オクチル‐Ｎ‐（２‐ヒドロキシオクテニル）アミン、N‐オクチル‐Ｎ‐（２‐ヒドロキシデセニル）アミンなどのオクチルアミン誘導体；
N‐デシル‐Ｎ‐（２‐ヒドロキシヘキシル）アミン、N‐デシル‐Ｎ‐（２‐ヒドロキシ‐４‐メチルヘキシル）アミン、N‐デシル‐Ｎ‐（２‐ヒドロキシオクチル）アミン、N‐デシル‐Ｎ‐（２‐ヒドロキシデシル）アミン、N‐デシル‐Ｎ‐（２‐ヒドロキシドデシル）アミン、N‐デシル‐Ｎ‐（２‐ヒドロキシテトラデシル）アミン、 N‐デシル‐Ｎ‐（２‐ヒドロキシヘキサデシル）アミン、N‐デシル‐Ｎ‐（２‐ヒドロキシオクタデシル）アミン、N‐デシル‐Ｎ‐（２‐ヒドロキシブテニル）アミン、N‐デシル‐Ｎ‐（２‐ヒドロキシヘキセニル）アミン、N‐デシル‐Ｎ‐（２‐ヒドロキシオクテニル）アミン、N‐デシル‐Ｎ‐（２‐ヒドロキシデセニル）アミンなどのデシルアミン誘導体；
N‐ドデシル‐Ｎ‐（２‐ヒドロキシヘキシル）アミン、N‐ドデシル‐Ｎ‐（２‐ヒドロキシ‐４‐メチルヘキシル）アミン、N‐ドデシル‐Ｎ‐（２‐ヒドロキシオクチル）アミン、N‐ドデシル‐Ｎ‐（２‐ヒドロキシデシル）アミン、N‐ドデシル‐Ｎ‐（２‐ヒドロキシドデシル）アミン、N‐ドデシル‐Ｎ‐（２‐ヒドロキシテトラデシル）アミン、 N‐ドデシル‐Ｎ‐（２‐ヒドロキシヘキサデシル）アミン、N‐ドデシル‐Ｎ‐（２‐ヒドロキシオクタデシル）アミン、N‐ドデシル‐Ｎ‐（２‐ヒドロキシブテニル）アミン、N‐ドデシル‐Ｎ‐（２‐ヒドロキシヘキセニル）アミン、N‐ドデシル‐Ｎ‐（２‐ヒドロキシオクテニル）アミン、N‐ドデシル‐Ｎ‐（２‐ヒドロキシデセニル）アミンなどのドデシルアミン誘導体；
N‐テトラデシル‐Ｎ‐（２‐ヒドロキシヘキシル）アミン、N‐テトラデシル‐Ｎ‐（２‐ヒドロキシ‐４‐メチルヘキシル）アミン、N‐テトラデシル‐Ｎ‐（２‐ヒドロキシオクチル）アミン、N‐テトラデシル‐Ｎ‐（２‐ヒドロキシデシル）アミン、N‐テトラデシル‐Ｎ‐（２‐ヒドロキシドデシル）アミン、N‐テトラデシル‐Ｎ‐（２‐ヒドロキシテトラデシル）アミン、 N‐テトラデシル‐Ｎ‐（２‐ヒドロキシヘキサデシル）アミン、N‐テトラデシル‐Ｎ‐（２‐ヒドロキシオクタデシル）アミン、N‐テトラデシル‐Ｎ‐（２‐ヒドロキシブテニル）アミン、N‐テトラデシル‐Ｎ‐（２‐ヒドロキシヘキセニル）アミン、N‐テトラデシル‐Ｎ‐（２‐ヒドロキシオクテニル）アミン、N‐テトラデシル‐Ｎ‐（２‐ヒドロキシデセニル）アミンなどのテトラデシルアミン誘導体；
N‐ヘキサデシル‐Ｎ‐（２‐ヒドロキシヘキシル）アミン、N‐ヘキサデシル‐Ｎ‐（２‐ヒドロキシ‐４‐メチルヘキシル）アミン、N‐ヘキサデシル‐Ｎ‐（２‐ヒドロキシオクチル）アミン、N‐ヘキサデシル‐Ｎ‐（２‐ヒドロキシデシル）アミン、N‐ヘキサデシル‐Ｎ‐（２‐ヒドロキシドデシル）アミン、N‐ヘキサデシル‐Ｎ‐（２‐ヒドロキシテトラデシル）アミン、 N‐ヘキサデシル‐Ｎ‐（２‐ヒドロキシヘキサデシル）アミン 、N‐ヘキサデシル‐Ｎ‐（２‐ヒドロキシオクタデシル）アミン、N‐ヘキサデシル‐Ｎ‐（２‐ヒドロキシブテニル）アミン、N‐ヘキサデシル‐Ｎ‐（２‐ヒドロキシヘキセニル）アミン、N‐ヘキサデシル‐Ｎ‐（２‐ヒドロキシオクテニル）アミン、N‐ヘキサデシル‐Ｎ‐（２‐ヒドロキシデセニル）アミンなどのヘキサデシルアミン誘導体；
N‐オクタデシル‐Ｎ‐（２‐ヒドロキシヘキシル）アミン、N‐オクタデシル‐Ｎ‐（２‐ヒドロキシ‐４‐メチルヘキシル）アミン、N‐オクタデシル‐Ｎ‐（２‐ヒドロキシオクチル）アミン、N‐オクタデシル‐Ｎ‐（２‐ヒドロキシデシル）アミン、N‐オクタデシル‐Ｎ‐（２‐ヒドロキシドデシル）アミン、N‐オクタデシル‐Ｎ‐（２‐ヒドロキシテトラデシル）アミン、 N‐オクタデシル‐Ｎ‐（２‐ヒドロキシヘキサデシル）アミン 、N‐オクタデシル‐Ｎ‐（２‐ヒドロキシオクタデシル）アミン、N‐オクタデシル‐Ｎ‐（２‐ヒドロキシブテニル）アミン、N‐オクタデシル‐Ｎ‐（２‐ヒドロキシヘキセニル）アミン、N‐オクタデシル‐Ｎ‐（２‐ヒドロキシオクテニル）アミン、N‐オクタデシル‐Ｎ‐（２‐ヒドロキシデセニル）アミンなどのオクタデシルアミン誘導体；
N‐シクロヘキシル‐Ｎ‐（２‐ヒドロキシエチレンヘキシル）アミン、N‐シクロヘキシル‐Ｎ‐（２‐ヒドロキシ‐４‐メチルヘキシル）アミン、N‐シクロヘキシル‐Ｎ‐（２‐ヒドロキシオクチル）アミン、N‐シクロヘキシル‐Ｎ‐（２‐ヒドロキシデシル）アミン、N‐シクロヘキシル‐Ｎ‐（２‐ヒドロキシドデシル）アミン、N‐シクロヘキシル‐Ｎ‐（２‐ヒドロキシテトラデシル）アミン、 N‐シクロヘキシル‐Ｎ‐（２‐ヒドロキシヘキサデシル）アミン、 N‐シクロヘキシル‐Ｎ‐（２‐ヒドロキシオクタデシル）アミン、N‐シクロヘキシル‐Ｎ‐（２‐ヒドロキシブテニル）アミン、N‐シクロヘキシル‐Ｎ‐（２‐ヒドロキシヘキセニル）アミン、N‐シクロヘキシル‐Ｎ‐（２‐ヒドロキシオクテニル）アミン、N‐シクロヘキシル‐Ｎ‐（２‐ヒドロキシデセニル）アミンなどのシクロヘキシルアミン誘導体が挙げられる。
（Ａ１）としてはこれらアルキルアミン誘導体のアルコキシレートが挙げられる。  
【００２６】
これら（Ａ１）のうち、オクチルアミン誘導体、デシルアミン誘導体、ドデシルアミン誘導体、テトラデシルアミン誘導体のアルコキシレートが好ましく、デシルアミン誘導体、ドデシルアミン誘導体のアルコキシレートがさらに好ましい。
【００２７】
（Ａ２）の前駆体であるアルキルアミン誘導体（ａ２）としては、Ｎ‐ブチル‐Ｎ‐（２‐ヒドロキシ−３‐ブトキシプロピル）アミン、Ｎ‐ブチル‐Ｎ‐（２‐ヒドロキシ−３‐ヘキシルオキシプロピル）アミン、Ｎ‐ブチル‐Ｎ‐（２‐ヒドロキシ−３−（４‐メチルヘキシルオキシ）プロピル）アミン、Ｎ‐ブチル‐Ｎ‐（２‐ヒドロキシ−３‐オクチルオキシプロピル）アミン、Ｎ‐ブチル‐Ｎ‐（２‐ヒドロキシ−３‐デシルオキシプロピル）アミン、Ｎ‐ブチル‐Ｎ‐（２‐ヒドロキシ−３‐ドデシルオキシプロピル）アミン、Ｎ‐ブチル‐Ｎ‐（２‐ヒドロキシ−３‐テトラドデシルオキシプロピル）アミン 、Ｎ‐ブチル‐Ｎ‐（２‐ヒドロキシ−３‐ヘキサドデシルオキシプロピル）アミンなどのブチルアミン誘導体；
Ｎ‐ヘキシル‐Ｎ‐（２‐ヒドロキシ−３‐ブトキシプロピル）アミン、Ｎ‐ヘキシル‐Ｎ‐（２−ヒドロキシ−３‐ヘキシルオキシプロピル）アミン、Ｎ‐ヘキシル‐Ｎ‐（２−ヒドロキシ−３‐（４−メチルヘキシルオキシプロピル）アミン、Ｎ‐ヘキシル‐Ｎ‐（２−ヒドロキシ−３‐オクチルオキシプロピル）アミン、Ｎ‐ヘキシル‐Ｎ‐（２−ヒドロキシ−３‐デシルオキシプロピル）アミン、Ｎ‐ヘキシル‐Ｎ‐（２−ヒドロキシ−３‐ドデシルオキシプロピル）アミン、Ｎ‐ヘキシル‐Ｎ‐（２−ヒドロキシ−３‐テトラドデシルオキシプロピル）アミン 、Ｎ‐ヘキシル‐Ｎ‐（２−ヒドロキシ−３‐ヘキサドデシルオキシプロピル）アミンなどのヘキシルアミン誘導体；
Ｎ‐オクチル‐Ｎ‐（２−ヒドロキシ−３‐ブトキシプロピル）アミン、Ｎ‐オクチル‐Ｎ‐（２−ヒドロキシ−３‐ヘキシルオキシプロピル）アミン、Ｎ‐オクチル‐Ｎ‐（２−ヒドロキシ−３‐（４−メチルヘキシルオキシプロピル）アミン、Ｎ‐オクチル‐Ｎ‐（２−ヒドロキシ−３‐オクチルオキシプロピル）アミン、Ｎ‐オクチル‐Ｎ‐（２−ヒドロキシ−３‐デシルオキシプロピル）アミン、Ｎ‐オクチル‐Ｎ‐（２−ヒドロキシ−３‐ドデシルオキシプロピル）アミン、Ｎ‐オクチル‐Ｎ‐（２−ヒドロキシ−３‐テトラドデシルオキシプロピル）アミン 、Ｎ‐オクチル‐Ｎ‐（２−ヒドロキシ−３‐ヘキサドデシルオキシプロピル）アミンなどのオクチルアミン誘導体；
Ｎ‐デシル‐Ｎ‐（２−ヒドロキシ−３‐ブトキシプロピル）アミン、Ｎ‐デシル‐Ｎ‐（２−ヒドロキシ−３‐ヘキシルオキシプロピル）アミン、Ｎ‐デシル‐Ｎ‐（２−ヒドロキシ‐３‐（４−メチルヘキシルオキシプロピル））アミン、Ｎ‐デシル‐Ｎ‐（２−ヒドロキシ−３‐オクチルオキシプロピル）アミン、Ｎ‐デシル‐Ｎ‐（２−ヒドロキシ−３‐デシルオキシプロピル）アミン、Ｎ‐デシル‐Ｎ‐（２−ヒドロキシ−３‐ドデシルオキシプロピル）アミン、Ｎ‐デシル‐Ｎ‐（２−ヒドロキシ−３‐テトラドデシルオキシプロピル）アミン 、Ｎ‐デシル‐Ｎ‐（２−ヒドロキシ−３‐ヘキサドデシルオキシプロピル）アミンなどのデシルアミン誘導体；
Ｎ‐ドデシル‐Ｎ‐（２−ヒドロキシ−３‐ブトキシプロピル）アミン、Ｎ‐ドデシル‐Ｎ‐（２−ヒドロキシ−３‐ヘキシルオキシプロピル）アミン、Ｎ‐ドデシル‐Ｎ‐（２−ヒドロキシ‐３‐（４−メチルヘキシルオキシプロピル））アミン、Ｎ‐ドデシル‐Ｎ‐（２−ヒドロキシ−３‐オクチルオキシプロピル）アミン、Ｎ‐ドデシル‐Ｎ‐（２−ヒドロキシ−３‐デシルオキシプロピル）アミン、Ｎ‐ドデシル‐Ｎ‐（２−ヒドロキシ−３‐ドデシルオキシプロピル）アミン、Ｎ‐ドデシル‐Ｎ‐（２−ヒドロキシ−３‐テトラドデシルオキシプロピル）アミン 、Ｎ‐ドデシル‐Ｎ‐（２−ヒドロキシ−３‐ヘキサドデシルオキシプロピル）アミンなどのドデシルアミン誘導体；
Ｎ‐テトラデシル‐Ｎ‐（２−ヒドロキシ−３‐ブトキシプロピル）アミン、Ｎ‐テトラデシル‐Ｎ‐（２−ヒドロキシ−３‐ヘキシルオキシプロピル）アミン、Ｎ‐テトラデシル‐Ｎ‐（２−ヒドロキシ‐３‐（４−メチルヘキシルオキシプロピル））アミン、Ｎ‐テトラデシル‐Ｎ‐（２−ヒドロキシ−３‐オクチルオキシプロピル）アミン、Ｎ‐テトラデシル‐Ｎ‐（２−ヒドロキシ−３‐デシルオキシプロピル）アミン、Ｎ‐テトラデシル‐Ｎ‐（２−ヒドロキシ−３‐ドデシルオキシプロピル）アミン、Ｎ‐テトラデシル‐Ｎ‐（２−ヒドロキシ−３‐テトラドデシルオキシプロピル）アミン 、Ｎ‐テトラデシル‐Ｎ‐（２−ヒドロキシ−３‐ヘキサドデシルオキシプロピル）アミンなどのテトラデシルアミン誘導体；
Ｎ‐ヘキサデシル‐Ｎ‐（２−ヒドロキシ−３‐ブトキシプロピル）アミン、Ｎ‐ヘキサデシル‐Ｎ‐（２−ヒドロキシ−３‐ヘキシルオキシプロピル）アミン、Ｎ‐ヘキサデシル‐Ｎ‐（２−ヒドロキシ‐３‐（４−メチルヘキシルオキシプロピル））アミン、Ｎ‐ヘキサデシル‐Ｎ‐（２−ヒドロキシ−３‐オクチルオキシプロピル）アミン、Ｎ‐ヘキサデシル‐Ｎ‐（２−ヒドロキシ−３‐デシルオキシプロピル）アミン、Ｎ‐ヘキサデシル‐Ｎ‐（２−ヒドロキシ−３‐ドデシルオキシプロピル）アミン、Ｎ‐ヘキサデシル‐Ｎ‐（２−ヒドロキシ−３‐テトラドデシルオキシプロピル）アミン 、Ｎ‐ヘキサデシル‐Ｎ‐（２−ヒドロキシ−３‐ヘキサドデシルオキシプロピル）アミンなどのヘキサデシルアミン誘導体；
Ｎ‐シクロヘキシル‐Ｎ‐（２−ヒドロキシ−３‐ブトキシプロピル）アミン、Ｎ‐シクロヘキシル‐Ｎ‐（２−ヒドロキシ−３‐ヘキシルオキシプロピル）アミン、Ｎ‐シクロヘキシル‐Ｎ‐（２−ヒドロキシ‐３‐（４−メチルヘキシルオキシプロピル））アミン、Ｎ‐シクロヘキシル‐Ｎ‐（２−ヒドロキシ−３‐オクチルオキシプロピル）アミン、Ｎ‐シクロヘキシル‐Ｎ‐（２−ヒドロキシ−３‐デシルオキシプロピル）アミン、Ｎ‐シクロヘキシル‐Ｎ‐（２−ヒドロキシ−３‐ドデシルオキシプロピル）アミン、Ｎ‐シクロヘキシル‐Ｎ‐（２−ヒドロキシ−３‐テトラドデシルオキシプロピル）アミン 、Ｎ‐シクロヘキシル‐Ｎ‐（２−ヒドロキシ−３‐ヘキサドデシルオキシプロピル）アミンなどのヘキシルアミン誘導体などが挙げられる。
（Ａ２）としてはこれらアルキルアミン誘導体のアルコキシレートが挙げられる。
【００２８】
これら（Ａ２）のうち、オクチルアミン誘導体、デシルアミン誘導体、ドデシルアミン誘導体、テトラデシルアミン誘導体のアルコキシレートが好ましく、デシルアミン誘導体、ドデシルアミン誘導体のアルコキシレートがさらに好ましい。
【００２９】
本発明の液体洗浄剤用増粘剤組成物を構成するもう１つの非イオン性界面活性剤（Ｂ）は、上記一般式（２）で表わされる。
本発明の非イオン性界面活性剤（Ｂ）を表す一般式において、式（２）中のＲ、Ｙ、ｍ、Ｎ、Ａ'Ｏ、Ａ"Ｏは、式（１）で説明したものと同様である。
Ｙ'も、Ｙと同様に、炭素数４〜２０のアルキル基もしくはアルケニル基、または、Ｒ'ＯＣＨ２−基で表される有機基であり、このＲ'もＹの場合のＲ'と同様に、炭素数１〜１８のアルキル基もしくはアルケニル基を表す。
【００３０】
非イオン性界面活性剤（Ｂ）のオキシアルキレン鎖中のオキシエチレン基／オキシプロピレン基のモル比は、非イオン性界面活性剤（Ａ）の場合と同様に、通常１００／０〜８０／２０、好ましくは１００／０〜９０／１０、さらに好ましくは１００／０（オキシエチレン基単独）である。
オキシプロピレン基のモル比が大きくなり過ぎると、起泡力とともに水溶性が低下する。
【００３１】
式(２)で表される非イオン性界面活性剤（Ｂ）のグリフィンのＨＬＢは、式（１）で説明したもののＨＬＢと同様である。
【００３２】
式(２)で表される非イオン性界面活性剤（Ｂ）の数平均分子量は、式（１）で説明したものと同様である。
【００３３】
非イオン性界面活性剤（Ｂ）の具体例として、例えば、アルキルアミンとα−オレフィンオキサイドの１：２型反応物（ｂ１）のアルコキシレート（Ｂ１）またはアルキルアミンとアルキルモノグリシジルエーテルの１：２型反応物（ｂ２）のアルコキシレート（Ｂ２）が挙げられる。
【００３４】
（Ｂ１）の前駆体である（ｂ１）としては、Ｎ‐ブチル‐Ｎ，Ｎ‐ジ（２−ヒドロキシヘキシル）アミン、Ｎ‐ブチル‐Ｎ，Ｎ‐ジ（２−ヒドロキシ−４‐メチルヘキシル）アミン、Ｎ‐ブチル‐Ｎ，Ｎ‐ジ（２−ヒドロキシオクチル）アミン、Ｎ‐ブチル‐Ｎ，Ｎ‐ジ（２−ヒドロキシデシル）アミン、Ｎ‐ブチル‐Ｎ，Ｎ‐ジ（２−ヒドロキシドデシル）アミン、Ｎ‐ブチル‐Ｎ，Ｎ‐ジ（２−ヒドロキシテトラデシル）アミン 、Ｎ‐ブチル‐Ｎ，Ｎ‐ジ（２−ヒドロキシヘキサデシル）アミン、Ｎ‐ブチル‐Ｎ，Ｎ‐ジ（２−ヒドロキシオクタデシル）アミン、Ｎ‐ブチル‐Ｎ，Ｎ‐ジ（２−ヒドロキシブテニル）アミン、Ｎ‐ブチル‐Ｎ，Ｎ‐ジ（２−ヒドロキシヘキセニル）アミン、Ｎ‐ブチル‐Ｎ，Ｎ‐ジ（２−ヒドロキシオクテニル）アミン、Ｎ‐ブチル‐Ｎ，Ｎ‐ジ（２−ヒドロキシデセニル）アミンなどのブチルアミン誘導体；
Ｎ‐ヘキシル‐Ｎ，Ｎ‐ジ（２−ヒドロキシヘキシル）アミン、Ｎ‐ヘキシル‐Ｎ，Ｎ‐ジ（２−ヒドロキシ−４−メチルヘキシル）アミン、Ｎ‐ヘキシル‐Ｎ，Ｎ‐ジ（２−ヒドロキシオクチル）アミン、Ｎ‐ヘキシル‐Ｎ，Ｎ‐ジ（２−ヒドロキシデシル）アミン、Ｎ‐ヘキシル‐Ｎ，Ｎ‐ジ（２−ヒドロキシドデシル）アミン、Ｎ‐ヘキシル‐Ｎ，Ｎ‐ジ（２−ヒドロキシテトラデシル）アミン、 Ｎ‐ヘキシル‐Ｎ，Ｎ‐ジ（２−ヒドロキシヘキサデシル）アミン、Ｎ‐ヘキシル‐Ｎ，Ｎ‐ジ（２−ヒドロキシオクタデシル）アミン、Ｎ‐ヘキシル‐Ｎ，Ｎ‐ジ（２−ヒドロキシブテニル）アミン、Ｎ‐ヘキシル‐Ｎ，Ｎ‐ジ（２−ヒドロキシヘキセニル）アミン、Ｎ‐ヘキシル‐Ｎ，Ｎ‐ジ（２−ヒドロキシオクテニル）アミン、Ｎ‐ヘキシル‐Ｎ，Ｎ‐ジ（２−ヒドロキシデセニル）アミンなどのヘキシルアミン誘導体；
Ｎ‐オクチル‐Ｎ，Ｎ‐ジ（２−ヒドロキシヘキシル）アミン、Ｎ‐オクチル‐Ｎ，Ｎ‐ジ（２−ヒドロキシ4‐メチルヘキシル）アミン、Ｎ‐オクチル‐Ｎ，Ｎ‐ジ（２−ヒドロキシオクチル）アミン、Ｎ‐オクチル‐Ｎ，Ｎ‐ジ（２−ヒドロキシデシル）アミン、Ｎ‐オクチル‐Ｎ，Ｎ‐ジ（２−ヒドロキシドデシル）アミン、Ｎ‐オクチル‐Ｎ，Ｎ‐ジ（２−ヒドロキシテトラデシル）アミン、 Ｎ‐オクチル‐Ｎ，Ｎ‐ジ（２−ヒドロキシヘキサデシル）アミン、Ｎ‐オクチル‐Ｎ，Ｎ‐ジ（２−ヒドロキシオクタデシル）アミン、Ｎ‐オクチル‐Ｎ，Ｎ‐ジ（２−ヒドロキシブテニル）アミン、Ｎ‐オクチル‐Ｎ，Ｎ‐ジ（２−ヒドロキシヘキセニル）アミン、Ｎ‐オクチル‐Ｎ，Ｎ‐ジ（２−ヒドロキシオクテニル）アミン、Ｎ‐オクチル‐Ｎ，Ｎ‐ジ（２−ヒドロキシデセニル）アミンなどのオクチルアミン誘導体；
Ｎ‐デシル‐Ｎ，Ｎ‐ジ（２−ヒドロキシヘキシル）アミン、Ｎ‐デシル‐Ｎ，Ｎ‐ジ（２−ヒドロキシ4‐メチルヘキシル）アミン、Ｎ‐デシル‐Ｎ，Ｎ‐ジ（２−ヒドロキシオクチル）アミン、Ｎ‐デシル‐Ｎ，Ｎ‐ジ（２−ヒドロキシデシル）アミン、Ｎ‐デシル‐Ｎ，Ｎ‐ジ（２−ヒドロキシドデシル）アミン、Ｎ‐デシル‐Ｎ，Ｎ‐ジ（２−ヒドロキシテトラデシル）アミン、 Ｎ‐デシル‐Ｎ，Ｎ‐ジ（２−ヒドロキシヘキサデシル）アミン、Ｎ‐デシル‐Ｎ，Ｎ‐ジ（２−ヒドロキシオクタデシル）アミン、Ｎ‐デシル‐Ｎ，Ｎ‐ジ（２−ヒドロキシブテニル）アミン、Ｎ‐デシル‐Ｎ，Ｎ‐ジ（２−ヒドロキシヘキセニル）アミン、Ｎ‐デシル‐Ｎ，Ｎ‐ジ（２−ヒドロキシオクテニル）アミン、Ｎ‐デシル‐Ｎ，Ｎ‐ジ（２−ヒドロキシデセニル）アミンなどのデシルアミン誘導体；
Ｎ‐ドデシル‐Ｎ，Ｎ‐ジ（２−ヒドロキシヘキシル）アミン、Ｎ‐ドデシル‐Ｎ，Ｎ‐ジ（２−ヒドロキシ−４‐メチルヘキシル）アミン、Ｎ‐ドデシル‐Ｎ，Ｎ‐ジ（２−ヒドロキシオクチル）アミン、Ｎ‐ドデシル‐Ｎ，Ｎ‐ジ（２−ヒドロキシデシル）アミン、Ｎ‐ドデシル‐Ｎ，Ｎ‐ジ（２−ヒドロキシドデシル）アミン、Ｎ‐ドデシル‐Ｎ，Ｎ‐ジ（２−ヒドロキシテトラデシル）アミン、 Ｎ‐ドデシル‐Ｎ，Ｎ‐ジ（２−ヒドロキシヘキサデシル）アミン、Ｎ‐ドデシル‐Ｎ，Ｎ‐ジ（２−ヒドロキシオクタデシル）アミン、Ｎ‐ドデシル‐Ｎ，Ｎ‐ジ（２−ヒドロキシブテニル）アミン、Ｎ‐ドデシル‐Ｎ，Ｎ‐ジ（２−ヒドロキシヘキセニル）アミン、Ｎ‐ドデシル‐Ｎ，Ｎ‐ジ（２−ヒドロキシオクテニル）アミン、Ｎ‐ドデシル‐Ｎ，Ｎ‐ジ（２−ヒドロキシデセニル）アミンなどのドデシルアミン誘導体；
Ｎ‐テトラデシル‐Ｎ，Ｎ‐ジ（２−ヒドロキシヘキシル）アミン、Ｎ‐テトラデシル‐Ｎ，Ｎ‐ジ（２−ヒドロキシ−４‐メチルヘキシル）アミン、Ｎ‐テトラデシル‐Ｎ，Ｎ‐ジ（２−ヒドロキシオクチル）アミン、Ｎ‐テトラデシル‐Ｎ，Ｎ‐ジ（２−ヒドロキシデシル）アミン、Ｎ‐テトラデシル‐Ｎ，Ｎ‐ジ（２−ヒドロキシドデシル）アミン、Ｎ‐テトラデシル‐Ｎ，Ｎ‐ジ（２−ヒドロキシテトラデシル）アミン、 Ｎ‐テトラデシル‐Ｎ，Ｎ‐ジ（２−ヒドロキシヘキサデシル）アミン、Ｎ‐テトラデシル‐Ｎ，Ｎ‐ジ（２−ヒドロキシオクタデシル）アミン、Ｎ‐テトラデシル‐Ｎ，Ｎ‐ジ（２−ヒドロキシブテニル）アミン、Ｎ‐テトラデシル‐Ｎ，Ｎ‐ジ（２−ヒドロキシヘキセニル）アミン、Ｎ‐テトラデシル‐Ｎ，Ｎ‐ジ（２−ヒドロキシオクテニル）アミン、Ｎ‐テトラデシル‐Ｎ，Ｎ‐ジ（２−ヒドロキシデセニル）アミンなどのテトラデシルアミン誘導体；
Ｎ‐ヘキサデシル‐Ｎ，Ｎ‐ジ（２−ヒドロキシヘキシル）アミン、Ｎ‐ヘキサデシル‐Ｎ，Ｎ‐ジ（２−ヒドロキシ4‐メチルヘキシル）アミン、Ｎ‐ヘキサデシル‐Ｎ，Ｎ‐ジ（２−ヒドロキシオクチル）アミン、Ｎ‐ヘキサデシル‐Ｎ，Ｎ‐ジ（２−ヒドロキシデシル）アミン、Ｎ‐ヘキサデシル‐Ｎ，Ｎ‐ジ（２−ヒドロキシドデシル）アミン、Ｎ‐ヘキサデシル‐Ｎ，Ｎ‐ジ（２−ヒドロキシテトラデシル）アミン、 Ｎ‐ヘキサデシル‐Ｎ，Ｎ‐ジ（２−ヒドロキシヘキサデシル）アミン 、Ｎ‐ヘキサデシル‐Ｎ，Ｎ‐ジ（２−ヒドロキシオクタデシル）アミン、Ｎ‐ヘキサデシル‐Ｎ，Ｎ‐ジ（２−ヒドロキシブテニル）アミン、Ｎ‐ヘキサデシル‐Ｎ，Ｎ‐ジ（２−ヒドロキシヘキセニル）アミン、Ｎ‐ヘキサデシル‐Ｎ，Ｎ‐ジ（２−ヒドロキシオクテニル）アミン、Ｎ‐ヘキサデシル‐Ｎ，Ｎ‐ジ（２−ヒドロキシデセニル）アミンなどのヘキサデシルアミン誘導体；
Ｎ‐オクタデシル‐Ｎ，Ｎ‐ジ（２−ヒドロキシヘキシル）アミン、Ｎ‐オクタデシル‐Ｎ，Ｎ‐ジ（２−ヒドロキシ−４‐メチルヘキシル）アミン、Ｎ‐オクタデシル‐Ｎ，Ｎ‐ジ（２−ヒドロキシオクチル）アミン、Ｎ‐オクタデシル‐Ｎ，Ｎ‐ジ（２−ヒドロキシデシル）アミン、Ｎ‐オクタデシル‐Ｎ，Ｎ‐ジ（２−ヒドロキシドデシル）アミン、Ｎ‐オクタデシル‐Ｎ，Ｎ‐ジ（２−ヒドロキシテトラデシル）アミン、 Ｎ‐オクタデシル‐Ｎ，Ｎ‐ジ（２−ヒドロキシヘキサデシル）アミン 、Ｎ‐オクタデシル‐Ｎ，Ｎ‐ジ（２−ヒドロキシオクタデシル）アミン、Ｎ‐オクタデシル‐Ｎ，Ｎ‐ジ（２−ヒドロキシブテニル）アミン、Ｎ‐オクタデシル‐Ｎ，Ｎ‐ジ（２−ヒドロキシヘキセニル）アミン、Ｎ‐オクタデシル‐Ｎ，Ｎ‐ジ（２−ヒドロキシオクテニル）アミン、Ｎ‐オクタデシル‐Ｎ，Ｎ‐ジ（２−ヒドロキシデセニル）アミンなどのオクタデシルアミン誘導体；
Ｎ‐シクロヘキシル‐Ｎ，Ｎ‐ジ（２−ヒドロキシヘキシル）アミン、Ｎ‐シクロヘキシル‐Ｎ，Ｎ‐ジ（２−ヒドロキシ−４‐メチルヘキシル）アミン、Ｎ‐シクロヘキシル‐Ｎ，Ｎ‐ジ（２−ヒドロキシオクチル）アミン、Ｎ‐シクロヘキシル‐Ｎ，Ｎ‐ジ（２−ヒドロキシデシル）アミン、Ｎ‐シクロヘキシル‐Ｎ，Ｎ‐ジ（２−ヒドロキシドデシル）アミン、Ｎ‐シクロヘキシル‐Ｎ，Ｎ‐ジ（２−ヒドロキシテトラデシル）アミン、 Ｎ‐シクロヘキシル‐Ｎ，Ｎ‐ジ（２−ヒドロキシヘキサデシル）アミン、 Ｎ‐シクロヘキシル‐Ｎ，Ｎ‐ジ（２−ヒドロキシオクタデシル）アミン、Ｎ‐シクロヘキシル‐Ｎ，Ｎ‐ジ（２−ヒドロキシブテニル）アミン、Ｎ‐シクロヘキシル‐Ｎ，Ｎ‐ジ（２−ヒドロキシヘキセニル）アミン、Ｎ‐シクロヘキシル‐Ｎ，Ｎ‐ジ（２−ヒドロキシオクテニル）アミン、Ｎ‐シクロヘキシル‐Ｎ，Ｎ‐ジ（２−ヒドロキシデセニル）アミンなどのシクロヘキシルアミン誘導体が挙げられる。
（Ｂ１）としてはこれらアルキルアミン誘導体のアルコキシレートが挙げられる。
【００３５】
これら（Ｂ１）のうち、オクチルアミン誘導体、デシルアミン誘導体、ドデシルアミン誘導体、テトラデシルアミン誘導体のアルコキシレートが好ましく、デシルアミン誘導体、ドデシルアミン誘導体のアルコキシレートがさらに好ましい。
【００３６】
（Ｂ２）の前駆体である（ｂ２）としては、Ｎ‐ブチル‐Ｎ，Ｎ‐ジ（２−ヒドロキシ−３‐ブトキシプロピル）アミン、Ｎ‐ブチル‐Ｎ，Ｎ‐ジ（２−ヒドロキシ−３‐ヘキシルオキシプロピル）アミン、Ｎ‐ブチル‐Ｎ，Ｎ‐ジ（２−ヒドロキシ−４’‐メチル‐３‐ヘキシルオキシプロピル）アミン、Ｎ‐ブチル‐Ｎ，Ｎ‐ジ（２−ヒドロキシ−３‐オクチルオキシプロピル）アミン、Ｎ‐ブチル‐Ｎ，Ｎ‐ジ（２−ヒドロキシ−３‐デシルオキシプロピル）アミン、Ｎ‐ブチル‐Ｎ，Ｎ‐ジ（２−ヒドロキシ−３‐ドデシルオキシプロピル）アミン、Ｎ‐ブチル‐Ｎ，Ｎ‐ジ（２−ヒドロキシ−３‐テトラドデシルオキシプロピル）アミン 、Ｎ‐ブチル‐Ｎ，Ｎ‐ジ（２−ヒドロキシ−３‐ヘキサドデシルオキシプロピル）アミンなどのブチルアミン誘導体；
Ｎ‐ヘキシル‐Ｎ，Ｎ‐ジ（２−ヒドロキシ−３‐ブトキシプロピル）アミン、Ｎ‐ヘキシル‐Ｎ，Ｎ‐ジ（２−ヒドロキシ−３‐ヘキシルオキシプロピル）アミン、Ｎ‐ヘキシル‐Ｎ，Ｎ‐ジ（２−ヒドロキシ−４’‐メチル‐３‐ヘキシルオキシプロピル）アミン、Ｎ‐ヘキシル‐Ｎ，Ｎ‐ジ（２−ヒドロキシ−３‐オクチルオキシプロピル）アミン、Ｎ‐ヘキシル‐Ｎ，Ｎ‐ジ（２−ヒドロキシ−３‐デシルオキシプロピル）アミン、Ｎ‐ヘキシル‐Ｎ，Ｎ‐ジ（２−ヒドロキシ−３‐ドデシルオキシプロピル）アミン、Ｎ‐ヘキシル‐Ｎ，Ｎ‐ジ（２−ヒドロキシ−３‐テトラドデシルオキシプロピル）アミン 、Ｎ‐ヘキシル‐Ｎ，Ｎ‐ジ（２−ヒドロキシ−３‐ヘキサドデシルオキシプロピル）アミンなどのヘキシルアミン誘導体；
Ｎ‐オクチル‐Ｎ，Ｎ‐ジ（２−ヒドロキシ−３‐ブトキシプロピル）アミン、Ｎ‐オクチル‐Ｎ，Ｎ‐ジ（２−ヒドロキシ−３‐ヘキシルオキシプロピル）アミン、Ｎ‐オクチル‐Ｎ，Ｎ‐ジ（２−ヒドロキシ−４’‐メチル‐３‐ヘキシルオキシプロピル）アミン、Ｎ‐オクチル‐Ｎ，Ｎ‐ジ（２−ヒドロキシ−３‐オクチルオキシプロピル）アミン、Ｎ‐オクチル‐Ｎ，Ｎ‐ジ（２−ヒドロキシ−３‐デシルオキシプロピル）アミン、Ｎ‐オクチル‐Ｎ，Ｎ‐ジ（２−ヒドロキシ−３‐ドデシルオキシプロピル）アミン、Ｎ‐オクチル‐Ｎ，Ｎ‐ジ（２−ヒドロキシ−３‐テトラドデシルオキシプロピル）アミン 、Ｎ‐オクチル‐Ｎ，Ｎ‐ジ（２−ヒドロキシ−３‐ヘキサドデシルオキシプロピル）アミンなどのオクチルアミン誘導体；
Ｎ‐デシル‐Ｎ，Ｎ‐ジ（２−ヒドロキシ−３‐ブトキシプロピル）アミン、Ｎ‐デシル‐Ｎ，Ｎ‐ジ（２−ヒドロキシ−３‐ヘキシルオキシプロピル）アミン、Ｎ‐デシル‐Ｎ，Ｎ‐ジ（２−ヒドロキシ−４’‐メチル‐３‐ヘキシルオキシプロピル）アミン、Ｎ‐デシル‐Ｎ，Ｎ‐ジ（２−ヒドロキシ−３‐オクチルオキシプロピル）アミン、Ｎ‐デシル‐Ｎ，Ｎ‐ジ（２−ヒドロキシ−３‐デシルオキシプロピル）アミン、Ｎ‐デシル‐Ｎ，Ｎ‐ジ（２−ヒドロキシ−３‐ドデシルオキシプロピル）アミン、Ｎ‐デシル‐Ｎ，Ｎ‐ジ（２−ヒドロキシ−３‐テトラドデシルオキシプロピル）アミン 、Ｎ‐デシル‐Ｎ，Ｎ‐ジ（２−ヒドロキシ−３‐ヘキサドデシルオキシプロピル）アミンなどのデシルアミン誘導体；
Ｎ‐ドデシル‐Ｎ，Ｎ‐ジ（２−ヒドロキシ−３‐ブトキシプロピル）アミン、Ｎ‐ドデシル‐Ｎ，Ｎ‐ジ（２−ヒドロキシ−３‐ヘキシルオキシプロピル）アミン、Ｎ‐ドデシル‐Ｎ，Ｎ‐ジ（２−ヒドロキシ−４’‐メチル‐３‐ヘキシルオキシプロピル）アミン、Ｎ‐ドデシル‐Ｎ，Ｎ‐ジ（２−ヒドロキシ−３‐オクチルオキシプロピル）アミン、Ｎ‐ドデシル‐Ｎ，Ｎ‐ジ（２−ヒドロキシ−３‐デシルオキシプロピル）アミン、Ｎ‐ドデシル‐Ｎ，Ｎ‐ジ（２−ヒドロキシ−３‐ドデシルオキシプロピル）アミン、Ｎ‐ドデシル‐Ｎ，Ｎ‐ジ（２−ヒドロキシ−３‐テトラドデシルオキシプロピル）アミン 、Ｎ‐ドデシル‐Ｎ，Ｎ‐ジ（２−ヒドロキシ−３‐ヘキサドデシルオキシプロピル）アミンなどのドデシルアミン誘導体；
Ｎ‐テトラデシル‐Ｎ，Ｎ‐ジ（２−ヒドロキシ−３‐ブトキシプロピル）アミン、Ｎ‐テトラデシル‐Ｎ，Ｎ‐ジ（２−ヒドロキシ−３‐ヘキシルオキシプロピル）アミン、Ｎ‐テトラデシル‐Ｎ，Ｎ‐ジ（２−ヒドロキシ−４’‐メチル‐３‐ヘキシルオキシプロピル）アミン、Ｎ‐テトラデシル‐Ｎ，Ｎ‐ジ（２−ヒドロキシ−３‐オクチルオキシプロピル）アミン、Ｎ‐テトラデシル‐Ｎ，Ｎ‐ジ（２−ヒドロキシ−３‐デシルオキシプロピル）アミン、Ｎ‐テトラデシル‐Ｎ，Ｎ‐ジ（２−ヒドロキシ−３‐ドデシルオキシプロピル）アミン、Ｎ‐テトラデシル‐Ｎ，Ｎ‐ジ（２−ヒドロキシ−３‐テトラドデシルオキシプロピル）アミン 、Ｎ‐テトラデシル‐Ｎ，Ｎ‐ジ（２−ヒドロキシ−３‐ヘキサドデシルオキシプロピル）アミンなどのテトラデシルアミン誘導体；
Ｎ‐ヘキサデシル‐Ｎ，Ｎ‐ジ（２−ヒドロキシ−３‐ブトキシプロピル）アミン、Ｎ‐ヘキサデシル‐Ｎ，Ｎ‐ジ（２−ヒドロキシ−３‐ヘキシルオキシプロピル）アミン、Ｎ‐ヘキサデシル‐Ｎ，Ｎ‐ジ（２−ヒドロキシ−４’‐メチル‐３‐ヘキシルオキシプロピル）アミン、Ｎ‐ヘキサデシル‐Ｎ，Ｎ‐ジ（２−ヒドロキシ−３‐オクチルオキシプロピル）アミン、Ｎ‐ヘキサデシル‐Ｎ，Ｎ‐ジ（２−ヒドロキシ−３‐デシルオキシプロピル）アミン、Ｎ‐ヘキサデシル‐Ｎ，Ｎ‐ジ（２−ヒドロキシ−３‐ドデシルオキシプロピル）アミン、Ｎ‐ヘキサデシル‐Ｎ，Ｎ‐ジ（２−ヒドロキシ−３‐テトラドデシルオキシプロピル）アミン 、Ｎ‐ヘキサデシル‐Ｎ，Ｎ‐ジ（２−ヒドロキシ−３‐ヘキサドデシルオキシプロピル）アミンなどのヘキサデシルアミン誘導体；
Ｎ‐オクタデシル‐Ｎ，Ｎ‐ジ（２−ヒドロキシ−３‐ブトキシプロピル）アミン、Ｎ‐オクタデシル‐Ｎ，Ｎ‐ジ（２−ヒドロキシ−３‐ヘキシルオキシプロピル）アミン、Ｎ‐オクタデシル‐Ｎ，Ｎ‐ジ（２−ヒドロキシ−４’‐メチル‐３‐ヘキシルオキシプロピル）アミン、Ｎ‐オクタデシル‐Ｎ，Ｎ‐ジ（２−ヒドロキシ−３‐オクチルオキシプロピル）アミン、Ｎ‐オクタデシル‐Ｎ，Ｎ‐ジ（２−ヒドロキシ−３‐デシルオキシプロピル）アミン、Ｎ‐オクタデシル‐Ｎ，Ｎ‐ジ（２−ヒドロキシ−３‐ドデシルオキシプロピル）アミン、Ｎ‐オクタデシル‐Ｎ，Ｎ‐ジ（２−ヒドロキシ−３‐テトラドデシルオキシプロピル）アミン 、Ｎ‐オクタデシル‐Ｎ，Ｎ‐ジ（２−ヒドロキシ−３‐ヘキサドデシルオキシプロピル）アミンなどのオクタデシルアミン誘導体；
Ｎ‐シクロヘキシル‐Ｎ，Ｎ‐ジ（２−ヒドロキシ−３‐ブトキシプロピル）アミン、Ｎ‐シクロヘキシル‐Ｎ，Ｎ‐ジ（２−ヒドロキシ−３‐ヘキシルオキシプロピル）アミン、Ｎ‐シクロヘキシル‐Ｎ，Ｎ‐ジ（２−ヒドロキシ−４’‐メチル‐３‐ヘキシルオキシプロピル）アミン、Ｎ‐シクロヘキシル‐Ｎ，Ｎ‐ジ（２−ヒドロキシ−３‐オクチルオキシプロピル）アミン、Ｎ‐シクロヘキシル‐Ｎ，Ｎ‐ジ（２−ヒドロキシ−３‐デシルオキシプロピル）アミン、Ｎ‐シクロヘキシル‐Ｎ，Ｎ‐ジ（２−ヒドロキシ−３‐ドデシルオキシプロピル）アミン、Ｎ‐シクロヘキシル‐Ｎ，Ｎ‐ジ（２−ヒドロキシ−３‐テトラドデシルオキシプロピル）アミン 、Ｎ‐シクロヘキシル‐Ｎ，Ｎ‐ジ（２−ヒドロキシ−３‐ヘキサドデシルオキシプロピル）アミンなどのシクロヘキシルアミン誘導体が挙げられる。
（Ｂ２）としてはこれらアルキルアミン誘導体のアルコキシレートが挙げられる。
【００３７】
これら（Ｂ２）のうち、オクチルアミン誘導体、デシルアミン誘導体、ドデシルアミン誘導体、テトラデシルアミン誘導体のアルコキシレートが好ましく、デシルアミン誘導体、ドデシルアミン誘導体のアルコキシレートがさらに好ましい。
【００３８】
本発明に係わる非イオン性界面活性剤（Ａ）と非イオン性界面活性剤（Ｂ）の製造法は、例えばアルキルアミン（ｃ）と下記（ｄ）または（ｅ）との付加反応によって得られたＮ‐アルキル‐Ｎ‐（２‐ヒドロキシアルキル）アミン（ａ１）又はＮ‐アルキル‐Ｎ‐（２‐ヒドロキシ−３−アルコキシアルキル）アミン（ａ２）又はＮ‐アルキル‐Ｎ，Ｎ‐ジ（２‐ヒドロキシアルキル）アミン（ｂ１）又はＮ‐アルキル‐Ｎ，Ｎ‐ジ（２‐ヒドロキシ−３−アルコキシアルキル）アミン（ｂ２）に対して、さらにＥＯ単独、またはＥＯとＰＯを併用して付加させることによって製造できる。
【００３９】
アミン化合物（ｃ）の具体例としては、ブチルアミン、ペンチルアミン、ヘキシルアミン、ヘプチルアミン、オクチルアミン、２−エチルヘキシルアミン、ノニルアミン、デシルアミン、ラウリルアミン、ミリスチルアミン、パルミチルアミン、ステアリルアミン、イソステアリルアミン、オレイルアミン、ベヘニルアミン、シクロヘキシルアミン、ヤシ油アルキルアミン、パーム油アルキルアミン、パーム核油アルキルアミン、ナタネ油アルキルアミン、牛脂アルキルアミン、魚油アルキルアミンなどの１級アミンが挙げられる。  これらのうち、オクチルアミン、デシルアミン、ラウリルアミン、ミリスチルアミン、ヤシ油アルキルアミンが好ましく、デシルアミン、ラウリルアミン、ヤシ油アルキルアミンがさらに好ましい。
【００４０】
前記の（ｃ）に付加反応させる化合物（ｄ）はα‐オレフィンオキサイドであり、同様に（ｃ）に付加反応させる化合物（ｅ）は１価アルコールとエピクロルヒドリンとの反応によって得られるグリシジルエーテル化物である。
化合物（ｄ）であるα‐オレフィンオキサイドの具体例としては、ブタン‐１,２‐エポキシド、ペンタン‐１,２‐エポキシド、ヘキサン‐１,２‐エポキシド、オクタン‐１,２‐エポキシド、デカン‐１,２‐エポキシド、テトラデカン‐１,２‐エポキシド、ヘキサデカン‐１,２‐エポキシドを挙げられる。
これらのうち、オクタン‐１,２‐エポキシド、デカン‐１,２‐エポキシド、テトラデカン‐１,２‐エポキシド、ヘキサデカン‐１,２‐エポキシドが好ましく、デカン‐１,２‐エポキシド、テトラデカン‐１,２‐エポキシド、ヘキサデカン‐１,２‐エポキシドがさらに好ましい。
これらの使用に際しては、単独でも２種以上の混合物のどちらでもよい。
【００４１】
化合物（ｅ）であるグリシジルエーテル化物の具体例としては、ブタノールグリシジルエーテル、ペンタノールグリシジルエーテル、ヘキサノールグリシジルエーテル、ヘプタノールグリシジルエーテル、オクタノールグリシジルエーテル、デカノールグリシジルエーテル、ウンデカノールグリシジルエーテル、ドデカノールグリシジルエーテルを挙げることができる。これらのうち、オクタノールグリシジルエーテル、デカノールグリシジルエーテル、ウンデカノールグリシジルエーテル、ドデカノールグリシジルエーテルが好ましく、デカノールグリシジルエーテル、ウンデカノールグリシジルエーテル、ドデカノールグリシジルエーテルがさらに好ましい。
これらの使用に際しては、単独でも２種以上の混合物のどちらでもよい。
【００４２】
本発明の液体洗浄剤用の増粘剤組成物は、製造プロセス上、非イオン界面活性剤（Ａ）成分を高純度で単独で製造することが困難であり、通常、非イオン界面活性剤（Ａ）と非イオン界面活性剤（Ｂ）の重量比率は８０／２０〜０／１００の範囲で使用できる。
非イオン性界面活性剤（Ｂ）成分は単独で洗浄剤に添加してもいいし、これら非イオン性界面活性剤（Ａ）との混合物として洗浄剤に添加してもよい。また、２種類以上の非イオン性界面活性剤（Ａ）、２種類以上の非イオン性界面活性剤（Ｂ）の組み合わせでもよい。
【００４３】
本発明の非イオン性界面活性剤（Ａ）と非イオン性界面活性剤（Ｂ）の合計量換算で５重量％水溶液としたときの２５℃での粘度は５〜１００ｍＰａ・ｓであり、好ましくは１０〜４０ｍＰａ・ｓである。この粘度範囲であれば、洗浄剤に配合した場合の増粘剤として好適に使用できる。
【００４４】
本発明の非イオン性界面活性剤（Ａ）及び非イオン性界面活性剤（Ｂ）を必須成分とする液体洗浄剤用の増粘剤は、アニオン性界面活性剤（Ｃ１）及び他の非イオン性界面活性剤（Ｃ２）の群から選ばれる１種以上の界面活性剤成分（Ｃ）１００重量部に対して、合計５〜２０重量部配合することが好ましく、５〜１５重量部配合することがより好ましい。
配合量が５重量部未満であると、増粘効果は得られない。２０重量部を超えると洗浄力が低下する。
【００４５】
本発明で配合される側の界面活性剤成分（Ｃ）を構成するアニオン性界面活性剤（Ｃ１）としては、例えば、ラウリル硫酸ナトリウム、ラウリル硫酸カリウム、ミリスチル硫酸ナトリウム、ミリスチル硫酸カリウム、セチル硫酸ナトリウム、ステアリル硫酸ナトリウム、オレイル硫酸ナトリウム、ラウリル硫酸トリエタノールアミン等のアルキル硫酸塩；ポリオキシエチレンラウリルエーテル硫酸ナトリウム、ポリオキシエチレンセチルエーテル硫酸ナトリウム、ポリオキシエチレンオレイルエーテル硫酸ナトリウム、ポリオキシエチレンラウリルエーテル硫酸トリエタノールアミン等のアルキルエーテル硫酸塩； 
ポリオキシエチレンオクチルフェニルエーテル硫酸ナトリウム等のアルキルアリールエーテル硫酸塩；
ポリオキシエチレンラウリン酸アミドエーテル硫酸ナトリウム、ポリオキシエチレンラウリン酸アミドエーテル硫酸トリエタノールアミン、ポリオキシエチレンミリスチン酸アミドエーテル硫酸ナトリウム、ポリオキシエチレンオレイン酸アミドエーテル硫酸ナトリウム、ポリオキシエチレンヤシ油脂肪酸アミドエーテル硫酸ナトリウム、オレイン酸アミドエーテル硫酸ナトリウム等のアルキルアミド硫酸塩；
硬化ヤシ油脂肪酸グリセリン硫酸ナトリウム等のアシルエステル硫酸塩；ラウリルスルホン酸ナトリウム、ミリスチルスルホン酸ナトリウム、ヤシ油アルキルスルホン酸ナトリウム等のアルキルスルホン酸塩；
リニアドデシルベンゼンスルホン酸ナトリウム、リニアドデシルベンゼンスルホン酸トリエタノールアミン等のアルキルベンゼンスルホン酸塩；
アルキルナフタレンスルホン酸塩；ナフタレンスルホン酸塩のホルマリン重縮合物等のホルマリン縮合系スルホン酸塩；ドデセンスルホン酸ナトリウム、テトラデセンスルホン酸ナトリウム、ドデセンスルホン酸カリウム、デトラデセンスルホン酸カリウム等のα−オレフィンスルホン酸塩；
ポリオキシエチレンラウリルエーテルリン酸ナトリウム、ポリオキシエチレンセチルエーテルリン酸ナトリウム、ポリオキシエチレンミリスチルリン酸カリウム、ポリオキシエチレンオレイルエーテルリン酸ナトリウム、ジポリオキシエチレンオレイルエーテルリン酸ナトリウム等のアルキルエーテルリン酸塩；
アルキルアリールエーテルリン酸塩；ポリオキシエチレンラウリルアミドエーテルリン酸ナトリウム等の脂肪酸アミドエーテルリン酸塩；
ラウリルリン酸ナトリウム、ミリスチルリン酸ナトリウム、ヤシ油脂肪酸リン酸ナトリウム、ミリスチルリン酸カリウム、ラウリルリン酸トリエタノールアミン、オレイルリン酸ジエタノールアミン等のアルキルリン酸塩等が挙げられる
【００４６】
これら（Ｃ１）のうち、アルキル硫酸塩、アルキルエーテル硫酸塩、アルキルアリールエーテル硫酸塩、アルキルスルホン酸塩、アルキルベンゼンスルホン酸塩、アルキルエーテルリン酸塩が好ましく、アルキル硫酸塩、アルキルエーテル硫酸塩、アルキルベンゼンスルホン酸塩がより好ましい。
【００４７】
同様に界面活性剤成分（Ｃ）を構成する非イオン系界面活性剤（Ｃ２）としては、例えば、ＰＯＥ（ポリオキシエチレン）オクチルエーテル、ＰＯＥラウリルエーテル、ＰＯＥミリスチルエーテル、ＰＯＥセチルエーテル、ＰＯＥステアリルエーテル、ＰＯＥオレイルエーテル、ＰＯＥイソステアリルエーテル、ＰＯＥオクチル（２−エチル−ヘキシル）エーテル等のポリオキシエチレンアルキルエーテル；
ＰＯＥ・ＰＯＰ（ポリオキシプロピレン）ブチルエーテル、ＰＯＥ・ＰＯＥラウリルエーテル、ＰＯＥ・ＰＯＰセチルエーテルＰＯＥ・ＰＯＰグリコール等のポリオキシエチレンポリオキシプロピレングリコール型；ＰＯＥオクチルフェニルエーテル、ＰＯＥノニルフェニルエーテル、ＰＯＥクロロフェニルエーテル、ポリオキシエチレンナフトールエーテル等のポリオキシエチレンアリールエーテル；ヘキサステアリン酸ＰＯＥソルビトール、テトラステアリン酸ＰＯＥソルビトール、テトラオレイン酸ＰＯＥソルビトール、モノラウリン酸ＰＯＥソルビトール等のポリオキシエチレンソルビトール脂肪酸エステル；
ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸等のポリエチレングリコール脂肪酸エステル；
モノラウリン酸エチレングリコール等のエチレングリコール脂肪酸エステル；モノステアリン酸ペンタエリスリトール、モノオレイン酸ペンタエリスリトール等のペンタエリスリトール脂肪酸エステル；
マルチトールヒドロキシ脂肪酸エーテル、アルキル化多糖、アルキル（ポリ）グルコシド、シュガーエステル等の糖誘導体；
ＰＯＥラウリルアミン、ＰＯＥステアリルアミン等のＰＯＥアルキルアミン等が挙げられる。
【００４８】
これら（Ｃ２）のうち、ポリオキシエチレンアルキルエーテル、ポリオキシエチレンアリールエーテルが好ましい。
【００４９】
本発明の液体洗浄剤組成物には、通常に液体洗浄剤組成物に用いられる他の成分、例えば、動物、植物、魚貝類、微生物由来の抽出物、粉末成分、液体油脂、固体油脂、ロウ、炭化水素、高級アルコール、エステル類、シリコーン、保湿剤、水溶性高分子、被膜剤、紫外線吸収剤、消炎剤、金属封鎖剤、低級アルコール、糖類、アミノ酸類、有機アミン類、合成樹脂エマルジョン、ｐＨ調整剤、皮膚栄養剤、ビタミン類、酸化防止剤、酸化防止助剤、香料、水などの１種もしくは２種以上を必要に応じて用いてもよい。
【実施例】
【００５０】
以下に、本発明を実施例によって具体的に説明するが、本発明は実施例に限定されるものではない。なお、特記しない限り、部は重量部、％は重量％を意味する。
性能評価試験のための液体洗浄剤組成物を、表１の配合比率（数値は重量部）で作成した。                                       
【００５１】
洗浄基剤には下記の界面活性剤を使用した。
＜洗浄基剤＞  
表１に記載した「ＡＥＳ」と「ＡＥ」は以下の通りである。
ＡＥＳ：ポリオキシエチレン（３モル付加）Ｃ１２〜１５エーテル硫酸ナトリウム〔三洋化成工業製サンデットＥＮＤ〕
ＡＥ：ポリオキシエチレンアルキルエーテル〔三洋化成工業製エマルミンＬ−９０−Ｓ〕
【００５２】
本発明の増粘剤組成物と比較のための増粘剤組成物を以下のようにして製造した。
製造例１： 
攪拌機、温度調節機能のついた１Lのステンレス製のオートクレーブに、ココナットアミン（ファーミンＣＳ、花王株式会社製）１９１（１．０モル）と テトラデカン‐１,２‐エポキシド２９７重量部（１．４モル）を入れ、窒素置換をした後、１０５℃、３時間攪拌して付加反応させ、これに、ＥＯ  ４４重量部（１.０モル）を約２時間の誘導期間を経て９０〜１１０℃で、さらに約１時間かけて逐次導入した。その後、９０℃でオートクレーブの内圧が滴下開始時と同じ圧力を示すまで１時間かけて反応を完結させた。
得られた生成物にテトラメチルアンモニウムヒドロキシド  ０．１６重量部（０．００１８モル）を添加し、窒素置換後、ＥＯ  ２６４重量部（６.０モル）を７０℃で、３時間かけて逐次導入した。その後、７０℃でオートクレーブの内圧が滴下開始時と同じ圧力を示すまで１時間かけて反応を完結させた。さらに、１５０〜１７０℃で１時間減圧（２０ｔｏrr）処理を行ない、分子中のオキシエチレン基／オキシプロピレン基のモル比が１００／０、かつ（ａ１）／（ｂ１）の重量比率６０／４０である本発明の非イオン性界面活性剤（Ｉ−１）を得た。
【００５３】
製造例２： 
製造例１の後半で、ＥＯ  ２６４重量部（６.０モル）を、ＥＯ４８４重量部（１１.０モル）に代える以外は同様にして、分子中のオキシエチレン基／オキシプロピレン基のモル比が１００／０、かつ（ａ１）／（ｂ１）の重量比率６０／４０である本発明の非イオン性界面活性剤（Ｉ−２）を得た。
【００５４】
製造例３：
攪拌機、温度調節機能のついた１Lのステンレス製のオートクレーブに、ステアリルアミン（ファーミン８０、花王株式会社製）２６９重量部（１．０モル）とテトラデカン‐１,２‐エポキシド  ３６０重量部（１．７モル）を入れ、窒素置換をした後、１０５℃、３時間攪拌して付加反応させた。
これに、ＥＯ４４重量部（１．０モル）を約２時間の誘導期間を経て９０〜１１０℃の範囲で温度コントロールを行ない、さらに約１時間かけて逐次導入した。その後、９０℃でオートクレーブの内圧が滴下開始時と同じ圧力を示すまで１時間かけて反応を完結させた。
得られた生成物にテトラメチルアンモニウムヒドロキシド  ０．１６重量部（０．００１８モル）を添加し、窒素置換後、ＥＯ  ３５２重量部（８.０モル）を７０℃で、３時間かけて逐次導入した。その後、７０℃でオートクレーブの内圧が滴下開始時と同じ圧力を示すまで、１時間かけて反応を完結させた。さらに、１５０〜１７０℃で１時間減圧（２０ｔｏrr）処理を行ない、分子中のオキシエチレン基／オキシプロピレン基のモル比が１００／０、かつ（ａ１）／（ｂ１）の重量比率が３０／７０である本発明の非イオン性界面活性剤（Ｉ−３）を得た。
【００５５】
製造例４： 
製造例３の後半で、ＥＯ  ３５２重量部（８.０モル）を、ＥＯ６６０重量部（１５.０モル）に代える以外は同様にして、分子中のオキシエチレン基／オキシプロピレン基のモル比が１００／０、かつ（ａ１）／（ｂ１）の重量比率３０／７０である本発明の非イオン性界面活性剤（Ｉ−４）を得た。
【００５６】
製造例５：
攪拌機、温度調節機能のついた１Lのステンレス製のオートクレーブに、ココナットアミン（ファーミンＣＳ、花王株式会社製）１９１重量部（１．０モル）とテトラデカン‐１,２‐エポキシド  ４２４重量部（２．０モル）を入れ、窒素置換をした後、１０５℃、３時間攪拌して付加反応させた。
得られた生成物にテトラメチルアンモニウムヒドロキシド０．１６重量部（０．００１８モル）を添加し、窒素置換後、ＥＯ  ３９６重量部（９.０モル）を７０℃で、３時間かけて逐次導入した。その後、７０℃でオートクレーブの内圧が滴下開始時と同じ圧力を示すまで、１時間かけて反応を完結させた。さらに、１５０〜１７０℃で１時間減圧（２０ｔｏrr）処理を行ない、分子中のオキシエチレン基／オキシプロピレン基のモル比が１００／０、かつ（ａ１）／（ｂ１）の重量比率０／１００である本発明の非イオン性界面活性剤（Ｉ−５）を得た。
【００５７】
製造例６：
製造例５の後半で、ＥＯ３９６重量部（９.０モル）を、ＥＯ３５２重量部（８.０モル）とＰＯ  ５８重量部（１.０モル）の混合物に代える以外は同様にして、分子中のオキシエチレン基／オキシプロピレン基のモル比が８９／１１、かつ（ａ１）／（ｂ１）の重量比率０／１００である本発明の非イオン性界面活性剤（Ｉ−６）を得た。
【００５８】
製造例７：
製造例３の前半で、テトラデカン‐１,２‐エポキシド３６０重量部（１．７モル）をデカノールグリシジルエーテル３６４重量部（１．７モル）に代える以外は同様にして、分子中のオキシエチレン基／オキシプロピレン基のモル比が１００／０、かつ（ａ２）／（ｂ２）の重量比率３０／７０である本発明の非イオン性界面活性剤（Ｉ−７）を得た。
【００５９】
製造例８： 
製造例３の前半で、テトラデカン‐１,２‐エポキシド３６０重量部（１．７モル）を、デカノールグリシジルエーテル  ３６４重量部（１．７モル）に加え、後半のＥＯ  ３５２重量部（８.０モル）をＥＯ  ６６０重量部（１５.０モル）に代える以外は同様にして、分子中のオキシエチレン基／オキシプロピレン基のモル比が１００／０、かつ（ａ１）／（ｂ２）の重量比率３０／７０である本発明の非イオン性界面活性剤（Ｉ−８）を得た。
【００６０】
比較製造例１： 
製造例１の前半で、攪拌機、温度調節機能のついた１Lを２Ｌに代える、また製造例１の後半で、ＥＯ２６４重量部（６.０モル）をＥＯ１９３６重量部（４４．０モル）に代える以外は同様にして、分子中のオキシエチレン基／オキシプロピレン基のモル比が１００／０、かつ（ａ１）／（ｂ１）の重量比率６０／４０である比較のための非イオン性界面活性剤（Ｉ’−１）を得た。
【００６１】
比較製造例２： 
製造例５の後半で、ＥＯ３９６重量部（９.０モル）を、ＥＯ２６４重量部（６.０モル）とＰＯ１７４重量部（３.０モル）の混合物に代える以外は同様にして、分子中のオキシエチレン基／オキシプロピレン基のモル比が６７／３３、かつ（ａ１）／（ｂ１）の重量比率０／１００である比較のための非イオン性界面活性剤（Ｉ’−２）を得た。
【００６２】
比較製造例３：
攪拌機、温度調節機能のついた１Lのステンレス製のオートクレーブに、エチレンカーボーネート９７重量部（１．１モル）とココナットアミン（ファーミンＣＳ、花王株式会社製）１９１重量部（１．０モル）を入れ、窒素置換をした後、付加反応させ、エチレングリコールN-ココナットアルキルカーバメートを得た。
得られた生成物に水酸化カリウム０．１０重量部（０．００１８モル）を添加し、窒素置換後、ＥＯ４４重量部（１.０モル）を１６０℃で、２時間かけて逐次導入した。その後、同温でオートクレーブの内圧が滴下開始時と同じ圧力を示すまで、１時間かけて反応を完結させた。さらに酢酸で中和を行ない、比較のための非イオン性界面活性剤（Ｉ’−３）を得た。
【００６３】
製造例１〜８と比較製造例１〜３で得られた増粘剤組成物を、洗浄基剤として汎用されている前記のＡＥＳとＡＥ２種と配合した実施例１〜８と比較例１〜３の液体洗浄剤組成物の粘度、起泡力、洗浄力を評価した。          
【００６４】
具体的な試験方法を以下に説明する。
＜粘度試験＞
洗剤液濃度０．１５％の洗浄剤組成物の粘度を２５℃において、ＢＬ型粘度計トキメック社製）を用い、Ｎｏ．１〜４のいずれか適切なローターを使用して回転数を６０ｒｐｍに固定して測定した。
【００６５】
＜起泡力＞
ＪＩＳ  Ｋ３３６２の起泡力の試験（ロスマイルス法）に基づき、所定の起泡力測定装置を用い、０．１％濃度の資料水溶液２００ｍｌを３０℃で９００ｍｍの高さから３０秒間で液面上に落下させた時に生じる泡の高さを測って起泡力として測定する。
【００６６】
＜洗浄力＞
リ−ナッツ法（ＪＩＳ  Ｋ３３６２）に準じて洗浄力の評価を行った。
汚垢支持体としてスライドガラス６枚を一組として用い、汚垢成分は下記組成の人工汚垢のクロロホルム溶液を塗布して用いる。
洗剤液の濃度０．１５％水溶液を洗浄液として人工汚垢を塗布したスライドガラスを洗浄し、汚垢塗布前後の重量および洗浄後の重量から次式に従って洗浄力を求めた。
１００×［汚垢塗布後の重量（ｇ）−洗浄後の重量（ｇ）］／汚垢塗布前の重量（ｇ）
【００６７】
人工汚垢成分組成
牛脂              １６．６％
大豆油            １６．６％
モノオレイン        ０．４％
オイルレッド        ０．２％
クロロホルム      ６６．２％
合計            １００．０％
【００６８】
表１に試験結果を示した。
【００６９】
【表１】
0004943295.tif 000006
【００７０】
表１の結果からわかるように、本発明の増粘剤組成物Ｎ‐アルキル‐Ｎ‐（２−ヒドロキシアルキル）アミンのアルコキシレート、Ｎ‐アルキル‐Ｎ，Ｎ‐ジ（２−ヒドロキシアルキル）アミンのアルコキシレートを配合した実施例１〜８は、いずれも増粘効果に優れ、洗浄剤として優れた起泡力および洗浄力に有する。
一方、アルキレンオキサイドの付加モル数の大きい比較例１およびＥＯの含有比率が小さい比較例２は増粘効果も低く、起泡力、洗浄力も不十分である。また、アルキレンカーバメート基を有する非イオン界面活性剤を増粘剤として用いた比較例４は、増粘効果、起泡力に関しては問題ないが、洗浄力は不十分である。
【産業上の利用可能性】
【００７１】
本発明の増粘剤組成物は、シャンプー、ボディソープ、台所用洗剤等の各種液体洗浄剤 用増粘剤として用いることができる。さらに、これ自体が増粘効果だけでなく起泡力と洗浄力も有するので、増粘剤単独で洗浄剤にも使用できる。